(57)【要約】【課題】架設ケーブル用カバーシートとして、架設ケーブルに巻き付けることにより、齧歯類等による咬害を確実に防止できるものを提供する。【解決手段】多数の透孔部１ａを有する金属帯材１の両面に軟質合成樹脂層２，２が形成され、両面の軟質合成樹脂層２，２が金属帯材１の透孔部１ａで連続してなる可撓性シート形態の架設ケーブル用カバーシートＳであって、架設ケーブル３に巻き付けて保護被覆４を形成する。【選択図】図１
2014011836.tif 000002
【特許請求の範囲】
【請求項１】
多数の透孔部を有する金属帯材の両面に軟質合成樹脂層が形成されると共に、両面の軟質合成樹脂層が金属帯材の透孔部で連続してなる可撓性シート形態であって、架設ケーブルに巻き付けて保護被覆とするように構成されてなる架設ケーブル用カバーシート。
【請求項２】
前記金属帯材の厚みが０．３〜１．０ｍｍ、総厚が０．５〜２．０ｍｍである請求項１に記載の架設ケーブル用カバーシート。
【請求項３】
前記金属帯材が透孔部の孔径１〜３ｍｍのパンチングメタルからなる請求項１又は２に記載の架設ケーブル用カバーシート。
【請求項４】
前記の軟質合成樹脂層がポリ塩化ビニル系樹脂からなる請求項１〜３のいずれかに記載の架設ケーブル用カバーシート。
【請求項５】
架設区間に張設された吊持線にケーブルハンガーを介して架線されたケーブルの表面に、前記請求項１〜４のいずれかに記載のカバーシートの巻き付けによる保護被覆が形成されてなる架設ケーブル。
【請求項６】
前記カバーシートがケーブルの表面に螺旋巻きで密に巻き付け固定されてなる請求項５に記載の架設ケーブル。
【発明の詳細な説明】
【技術分野】
【０００１】
本発明は、通信用伝送路として屋外に架設される同軸ケーブルや光ケーブル等の架設ケーブルを対象として、主として齧歯類による咬害防止のための保護被覆に使用する保護カバーシートと、これを用いた架設ケーブルに関する。
【背景技術】
【０００２】
従来より、通信用伝送路としての同軸ケーブルや光ケーブルは、架設区間に張設された吊持線にケーブルハンガーを介して架線されるが、齧歯類（平野部では各種のネズミ類、山間部ではヤマネズミ、モモンガ、ムササビ等）を主とする小動物に齧られて伝送不良や断線を生じる被害が多発している。とりわけ、架設ケーブルが樹木や建物等に接近する部位では、強風時の接触によるケーブルの損傷や引っ掛かりを防止する目的で、吊持線及びケーブルハンガーを含む全体を合成樹脂製の筒状のケーブル保護カバーで覆う（特許文献１〜３）のが普通であるが、その保護カバー内に齧歯類が入り込み、前歯を磨り減らす習性から常習的にケーブルを齧るため、顕著な咬害を被ることが多い。
【先行技術文献】
【特許文献】
【０００３】
【特許文献１】特開平１１−２５２７５９号公報
【特許文献２】特開２００４−１４７４６２号公報
【特許文献３】特開２００４−１９４４６５号公報
【発明の概要】
【発明が解決しようとする課題】
【０００４】
本発明は、上述の事情に鑑みて、齧歯類等による架設ケーブルの咬害防止のために、該架設ケーブルに簡単に巻き付けて確実な保護被覆を形成し得る架設ケーブル用カバーシートと、該カバーシートを用いた架設ケーブルを提供することを目的としている。
【課題を解決するための手段】
【０００５】
上記目的を達成するための手段を図面の参照符号を付して示せば、請求項１の発明に係る架設ケーブル用カバーシートＳは、多数の透孔部１ａを有する金属帯材１の両面に軟質合成樹脂層２，２が形成されると共に、両面の軟質合成樹脂層２，２が金属帯材１の透孔部１ａで連続してなる可撓性シート形態であって、架設ケーブル３に巻き付けて保護被覆４とするように構成されてなる。
【０００６】
請求項２の発明は、上記請求項１の架設ケーブル用カバーシートにおいて、金属帯材１の厚みが０．３〜１．０ｍｍ、総厚が０．５〜２．０ｍｍであるものとしている。
【０００７】
請求項３の発明は、上記請求項１又は２の架設ケーブル用カバーシートにおいて、金属帯材１が透孔部１ａの孔径１〜３ｍｍのパンチングメタルからなるものとしている。
【０００８】
請求項４の発明は、上記請求項１〜３のいずれかの架設ケーブル用カバーシートにおいて、軟質合成樹脂層２がポリ塩化ビニル系樹脂からなるものとしている。
【０００９】
請求項５の発明に係る架設ケーブルは、架設区間に張設された吊持線５にケーブルハンガー６を介して架線されたケーブル３の表面に、上記請求項１〜４のいずれかのカバーシートＳの巻き付けによる保護被覆４が形成されてなるものとしている。
【００１０】
請求項６の発明は、上記請求項５の架設ケーブルにおいて、カバーシートＳがケーブル３の表面に螺旋巻きで密に巻き付け固定されてなるものとしている。
【発明の効果】
【００１１】
次に、本発明による効果について、図面の参照符号を付して説明する。まず、請求項１の発明によれば、架設ケーブル用カバーシートＳは、多数の透孔部１ａを有する金属帯材１の両面に軟質合成樹脂層２，２が形成された可撓性シート形態であり、架設ケーブル３に対して手操作で巻き付けて簡単に保護被覆４を形成できると共に、金属帯材１が芯材になっているために該保護被覆４の巻付け形態が保たれる。そして、形成した保護被覆４は、齧歯類が齧ろうとしても芯材の金属帯材１を咬み破ることができず、表面の軟質合成樹脂層２のみが咬み削られるだけで、内側のケーブル３には実質的に咬害が及ばない。また、カバーシートＳ自体は、両面の軟質合成樹脂層２，２が金属帯材１の透孔部１ａで連続して一体化しているから、各軟質合成樹脂層２と金属帯材１との剥離を生じず、保護被覆として長期に亘って良好な状態を維持できる。
【００１２】
請求項２の発明によれば、架設ケーブル用カバーシートＳの金属帯材１の厚みと総厚が特定範囲にあることから、架設ケーブル３に巻き付ける際、適度な柔軟性と総厚によって該架設ケーブル３の表面にカバーシートＳを密着状態に沿わせ易く、且つ齧歯類の歯による金属帯材１の破断を確実に防止できる。
【００１３】
請求項３の発明によれば、架設ケーブル用カバーシートＳの金属帯材１が特定の孔径のパンチングメタルからなるため、齧歯類による咬害をより確実に防止できる。
【００１４】
請求項４の発明によれば、架設ケーブル用カバーシートＳの軟質合成樹脂層２，２がポリ塩化ビニル系樹脂からなるため、金属帯材１の表面に対するなじみがよく、架設ケーブル３に巻き付ける際に該金属帯材１の曲げに良く追随するから、巻付け作業を容易に能率よく行える。
【００１５】
請求項５の発明によれば、吊持線５にケーブルハンガー６を介して架線されたケーブル３の表面に前記のカバーシートＳによる保護被覆４が形成されているから、齧歯類等による該ケーブル３の咬害が確実に防止される。
【００１６】
請求項６の発明によれば、カバーシートＳがケーブル３の表面に螺旋巻きで密に巻き付け固定されるから、確実な咬害防止を果たし得る保護被覆４を極めて簡単な操作で容易に形成できると共に、ケーブル３の径が種々異なっていても該カバーシートＳの全体を無駄なく保護被覆４にできるという利点がある。
【図面の簡単な説明】
【００１７】
【図１】本発明に係る架設ケーブル用カバーシートの一実施形態を示し、（ａ）は一部破断平面図、（ｂ）は要部の縦断面図である。
【図２】吊持線にケーブルハンガーを介して架線した架設ケーブルに同カバーシートによる保護被覆を設けた状態を示す縦断正面図である。
【図３】同保護被覆を設けた状態を示す側面図である。
【図４】同架設ケーブルに同カバーシートによる保護被覆を設ける手順を示し、（ａ）〜（ｃ）は斜視図、（ｄ）は側面図である。
【発明を実施するための形態】
【００１８】
以下に、本発明の一実施形態に係る架設ケーブル用カバーシートと、該カバーシートを用いた架設ケーブルの構成例について、図面を参照して具体的に説明する。
【００１９】
図１（ａ）（ｂ）に示す架設ケーブル用カバーシートＳは、千鳥配列した多数の円形の透孔部１ａを有するパンチングメタルからなる金属帯材１の両面に軟質合成樹脂層２，２が形成され、両軟質合成樹脂層２，２が金属帯材１の各透孔部１ａで連続して一体化した構造の可撓性シート形態になっている。
【００２０】
このようなカバーシートＳは、例えば図２及び図３に示すように、所要の架設区間に張設されたワイヤーからなる吊持線５に螺旋状のケーブルハンガー６を介して架線された架設ケーブル３に対し、その表面に巻き付けて保護被覆４を形成するのに使用される。なお、図中の符号７は円筒形をなす合成樹脂製のケーブル保護カバーであり、樹木や建物等に接近する架設部位において、長手方向に沿って開裂した一側縁の外向き突縁部７ａに、他側縁の断面コ字形の掛止部７ｂを掛合して筒形にすることで、吊持線５及びケーブルハンガー６とケーブル３の全体を覆うように装着されている。
【００２１】
そして、架設ケーブル３の保護被覆４は、図３で示すように、該ケーブル３に対してカバーシート３を隣合う側縁部が相互に密接するように螺旋巻きにして形成したものであり、各カバーシートＳの巻回端部をバインド線８によって固定している。
【００２２】
このようにカバーシートＳによる保護被覆４を形成した架設ケーブル３では、該保護被覆４の全体に金属帯材１が芯材として存在するから、齧歯類が齧ろうとしても芯材の金属帯材１を咬み破ることができず、表面の軟質合成樹脂層２のみが咬み削られるだけで、内側のケーブル３には実質的に咬害が及ばない。従って、特に筒状のケーブル保護カバー７の装着部位では、該保護カバー７内に齧歯類が入り込んでケーブル３を咬害され易いが、該カバーシートＳによる保護被覆４を設けることで確実に咬害を防止できる。また、カバーシートＳ自体は、両面の軟質合成樹脂層２，２が金属帯材１の透孔部１ａで連続して一体化しているから、各軟質合成樹脂層２と金属帯材１との剥離を生じず、保護被覆４として長期に亘って良好な状態を維持できる。
【００２３】
架設ケーブル３にカバーシートＳによる保護被覆４を設けるには、まず図４（ａ）の如く施工部位のケーブル保護カバー７を外し、同図（ｂ）の如くカバーシートＳをケーブルハンガー６の内側に挿入し、同図（ｃ）の如く該カバーシートＳの両端部を両手Ｈ，Ｈで掴んでケーブル３に被せ、そのまま雑巾絞りの要領で該カバーシートＳを巻き締める。この巻き締め操作により、該カバーシートＳはケーブル３に対して螺旋巻きに巻き付けられるから、その螺旋巻きの隣合う側縁部同士を隙間なく密接させて保護被覆４を形成する。そして、同図（ｄ）の如く保護被覆４の巻回端部４ａを接着テープ９で仮り止めし、この状態で該巻回端部４ａをバインド線８によって固定すればよい。
【００２４】
上述の施工操作で例示するように、このカバーシートＳでは、架設ケーブル３に対して手操作で巻き付けて極めて簡単に保護被覆４を形成できると共に、金属帯材１が芯材になっているために該保護被覆４の巻付け形態が保たれる。また、該カバーシートＳを継ぎ足して同様に螺旋巻きすることで、任意の架設長にわたって連続した保護被覆４を形成することができる。
【００２５】
カバーシートＳの金属帯材１としては、多数の透孔部１ａを有するものであれば特に制約はなく、実施形態で例示したパンチングメタルの他に、例えば金属製ネットも使用可能である。しかるに、金属製ネットでは、その金属線の太さにもよるが、齧歯類の齧る力で変形してメッシュ穴が拡がる懸念があり、その部分で齧歯類の歯が内側のケーブル３に届く可能性がある。従って、齧歯類による咬害を確実に防止する上でアルミニウムやその合金、ステンレス鋼等よりなるパンチングメタルが推奨される。なお、パンチングメタルの透孔部１ａの孔径は１〜３ｍｍ程度が好ましく、大き過ぎると該透孔部１ａで齧歯類の歯が下のケーブル３まで達する虞れがあり、逆に小さ過ぎてはパンチングメタルが曲げにくくなるため、ケーブル３に巻き付ける際の操作性が悪化する。
【００２６】
また、金属帯材１の厚みは０．３〜１．０ｍｍ程度、カバーシートＳ全体としての総厚は０．５〜２．０ｍｍ程度とするのがよい。これは、カバーシートＳを適度な柔軟性と総厚にすることにより、架設ケーブル３の表面に該カバーシートＳを密着状態に沿わせ易くして、且つ齧歯類の歯による金属帯材１の破断を確実に防止するためである。一方、カバーシートＳの幅と長さについては、特に制約はなく、ケーブル径の大小や施工性によって適宜設定すればよい。
【００２７】
カバーシートＳの軟質合成樹脂層２については、その樹脂種に特に制約はないが、その層形成の容易さから熱可塑性樹脂が好ましい。特にポリ塩化ビニル系樹脂は、金属帯材１の表面に対するなじみがよく、架設ケーブル３に巻き付ける際に該金属帯材１の曲げに良く追随するから、巻付け作業を容易に能率よく行えるという利点がある。
【００２８】
架設ケーブル３に対するカバーシートＳの巻付けは、例示した螺旋巻き以外に、シート長手方向をケーブル線方向に沿わせて巻き付ける方法でも可能であるが、ケーブル３の径によって幅員の過不足を生じる上、巻き付け操作も一端側から絞り込んでゆく形になって手間がかかる。これに対し、螺旋巻きでは、ケーブル３の径が種々異なっていても該カバーシートＳの全体を無駄なく保護被覆４にできることに加え、例示の如く雑巾絞りの要領で全体を同時に巻き絞って簡単に巻き付け操作できるという利点がある。なお、この螺旋巻きにおいて、隣合う側縁部同士を隙間ができないように部分的に重ねるようにしてもよい。
【００２９】
本発明のカバーシートＳは、例示したように吊持線５にケーブルハンガー６を介して架線された架設ケーブル３に限らず、ＳＳＤケーブル（自己支持型ケーブル）のようにそれ自体の張力で架線されている単体の架設ケーブルも適用対象とできる。しかして、ＳＳＤケーブルは一般的に異形断面であるが、本カバーシートＳは適度な柔軟性を備えるから、異形断面の架設ケーブルに対しても外周全体に密着させて巻き付けることができる。なお、図２〜図４では吊持線５としてワイヤーを例示したが、該吊持線として図２の仮想線で示すようなＳＳＤケーブル５０も使用され、その場合には該ＳＳＤケーブル５０についてもカバーシートＳによる保護被覆４を形成すればよい。また、ケーブルハンガー６としては、図２〜図４で例示した螺旋状のものに限らず、所定間隔を置いて吊持線５に両端フック部で掛止するＵ字形またはＯ字形のものも使用される。
【符号の説明】
【００３０】
１      金属帯材
１ａ    透孔部
２      軟質合成樹脂層
３      架設ケーブル
４      保護被覆
５      吊持線
６      ケーブルハンガー
Ｓ      カバーシート
【図１】
2014011836.tif 000003
【図２】
2014011836.tif 000004
【図３】
2014011836.tif 000005
【図４】
2014011836.tif 000006